(57)【特許請求の範囲】
【請求項１】
遊技球受入位置に配置されることによって遊技球を受け入れることが可能な状態となる遊技球受容部を有する回転体と、
前記回転体の回転を制御する制御手段と、を備える遊技球搬送装置であって、
前記制御手段は、
前記回転体を第１角度だけ一の方向に回転させる第１制御と、前記回転体を第２角度だけ前記一の方向とは逆の他の方向に回転させる第２制御と、を繰り返し実行し、
前記第１角度から前記第２角度を減じた値の絶対値が、３６０の約数となっていないことを特徴とする遊技球搬送装置。
【請求項２】
前記回転体は、複数の前記遊技球受容部を有し、
前記第１角度から前記第２角度を減じた値の絶対値は、互いに隣り合う前記遊技球受容部の角度間隔の値の約数となっていないことを特徴とする請求項１に記載の遊技球搬送装置。
【請求項３】
前記制御手段は、
前記第１制御と前記第２制御との間に、前記回転体を所定時間だけ停止させる第３制御を実行することを特徴とする請求項１又は２に記載の遊技球搬送装置。
【発明の詳細な説明】
【技術分野】
【０００１】
本発明は、遊技機の遊技盤面に配設される遊技球搬送装置に関する。
【背景技術】
【０００２】
従来、遊技球を受け入れることが可能な遊技球受容部を有する回転体を備え、この回転体を回転させることによって遊技球を搬送する遊技球搬送装置が知られている（特許文献１参照）。
この遊技球搬送装置では、遊技球受容部が予め定められた所定位置に配置されるごとに回転体を逆回転させることによって、球噛を防止している。
【先行技術文献】
【特許文献】
【０００３】
【特許文献１】特開平１０−２９５８９１号公報
【発明の概要】
【発明が解決しようとする課題】
【０００４】
しかしながら、特許文献１に係る遊技球搬送装置では、遊技球受容部による遊技球の受け入れ状態が単調となり、遊技の興趣が低下する恐れがある。
具体的には、引用文献１に係る遊技球搬送装置では、回転体は、遊技球受容部が所定位置に配置されるまで正回転されると、逆回転される。
そして、回転体は、遊技球受容部が遊技球を受け入れることが可能となる遊技球受入位置に配置されるまで逆回転されると、再び正回転される。
【０００５】
したがって、特許文献１に係る遊技球搬送装置では、回転体の回転方向が変わるタイミングにおいて、遊技球受入位置に対する遊技球受容部の位置が一定となるため、遊技球受容部による遊技球の受け入れ状態が単調となり、遊技の興趣が低下する恐れがある。
本発明の課題は、遊技球搬送装置において、遊技球受容部による遊技球の受け入れ状態を変化させて、遊技の興趣を向上することである。
【課題を解決するための手段】
【０００６】
上記目的を達成するために、第一の発明に係る遊技球搬送装置は、遊技球受入位置に配置されることによって遊技球を受け入れることが可能な状態となる遊技球受容部を有する回転体と、前記回転体の回転を制御する制御手段と、を備える遊技球搬送装置であって、前記制御手段は、前記回転体を第１角度だけ一の方向に回転させる第１制御と、前記回転体を第２角度だけ前記一の方向とは逆の他の方向に回転させる第２制御と、を繰り返し実行し、前記第１角度から前記第２角度を減じた値の絶対値が、３６０の約数となっていないことを特徴とする。
【０００７】
第一の発明に係る遊技球搬送装置では、第２制御の完了時における遊技球受入位置に対する遊技球受容部の位置が、第２制御が完了するごとに変化する。これに伴い、第１制御の完了時における遊技球受入位置に対する遊技球受容部の位置が、第１制御が完了するごとに変化する。
これにより、第一の発明に係る遊技球搬送装置によれば、遊技球受容部による遊技球の受け入れ状態を変化させることができ、遊技の興趣を向上することが可能となる。
ここで、遊技球搬送装置としては、例えば、後述する第一可動部１２０又は第二可動部１４０が該当する。遊技球受容部としては、例えば、後述する保持凹部１２３ｂ，１４３ｂが該当する。回転体としては、例えば、後述する回転部材１２３，１４３が該当する。制御手段としては、例えば、後述する駆動部１６０及び主制御装置４００が該当する。
【０００８】
また、第二の発明に係る遊技球搬送装置は、第一の発明に係る遊技球搬送装置において、前記回転体は、複数の前記遊技球受容部を有し、前記第１角度から前記第２角度を減じた値の絶対値は、互いに隣り合う前記遊技球受容部の角度間隔の値の約数となっていないことを特徴とする。
第二の発明に係る遊技球搬送装置によれば、複数の遊技球受容部による遊技球の受け入れ状態を変化させることが可能となる。
【０００９】
さらに、第三の発明に係る遊技球搬送装置は、第一又は第二の発明に係る遊技球搬送装置において、前記制御手段は、前記第１制御と前記第２制御との間に、前記回転体を所定時間だけ停止させる第３制御を実行することを特徴とする。
第三の発明に係る遊技球搬送装置によれば、回転体の回転方向を変える際に、回転体を回転させる駆動手段の負担を軽減することが可能となる。
【発明の効果】
【００１０】
本発明によれば、遊技球受容部による遊技球の受け入れ状態を変化させることができ、遊技の興趣を向上することが可能となる。
【図面の簡単な説明】
【００１１】
【図１】遊技盤面の正面部、特に説明に必要な部分を模式的に示した図である。
【図２】役物装置が備える遊技球搬送装置及び振分装置の斜視図である。
【図３】役物装置が備える遊技球搬送装置の正面図である。
【図４】図３に示す遊技球搬送装置の背面図である。
【図５】パチンコ機の制御系の構成を示すブロック図である。
【図６】回転制御を示すタイミングチャートである。
【図７】第二可動部の正面図である。
【図８】遊技球受入位置に対する保持凹部の角度位置の変化を示す図である。
【発明を実施するための形態】
【００１２】
以下、本発明の実施形態を図面を参照しながら説明する。
本実施形態では、本発明に係る遊技機を、パチンコ機１に適用している。
（遊技盤面の構成）
まず、パチンコ機１における遊技盤面１０の構成を説明する。
図１は、遊技盤面の正面部、特に説明に必要な部分を模式的に示した図である。
図１に示すように、遊技盤面１０には、遊技球（図２、図３に示す「Ｐ」）の発射路２０を構成する外レール２１及び内レール２２が設けられている。遊技盤面１０では、外レール２１及び内レール２２によって囲まれた円形状の領域が、遊技球を転動させる遊技領域３０となっている。
【００１３】
遊技領域３０の中央部には、役物装置１００が配設されている。役物装置１００の内側には、中央転動経路３１が構成されている。また、遊技領域３０では、役物装置１００の左側に左側転動経路３２が構成され、役物装置１００の右側に右側転動経路３３が構成されている。
役物装置１００の下方には、第一始動入賞口２１０が配設されている。第一始動入賞口２１０は、上向きに開口した入賞口（いわゆるヘソ）であり、常時、遊技球が入賞可能な状態となっている。
【００１４】
第一始動入賞口２１０に入賞した遊技球は、所定領域（図示せず）に誘導される。この所定領域には、始動入賞口スイッチ３１０（図５参照）が配設されている。始動入賞口スイッチ３１０は、遊技球の通過を検出して、検出信号を後述する主制御装置４００に対して出力する。そして、主制御装置４００は、始動入賞口スイッチ３１０からの検出信号が入力されることに応じて、特別図柄抽選を実行する。
【００１５】
右側転動路３３における役物装置１００の右方には、始動ゲート２３０が設けられている。始動ゲート２３０は、常時、遊技球が通過可能な状態となっている。始動ゲート２３０の内部には、始動ゲートスイッチ３１１（図５参照）が配設されている。始動ゲートスイッチ３１１は、始動ゲート２３０への遊技球の通過を検出して、検出信号を主制御装置４００に対して出力する。そして、主制御装置４００は、始動ゲートスイッチ３１１からの検出信号が入力されることに応じて、普通図柄抽選を実行する。
【００１６】
右側転動路３３における始動ゲート２３０の下方には、第二始動入賞口２２０が配設されている。第二始動入賞口２２０は、開閉部材２２１を有する可変入賞口となっている。開閉部材２２１は、始動入賞口ソレノイド３２０（図５参照）によって開閉される。
第二始動入賞口２２０は、通常時は、開閉部材２２１が閉止状態となり、遊技球が入賞することができない状態となっている。そして、第二始動入賞口２２０は、普通図柄抽選に当選した場合に、開閉部材２２１が所定パターンで開放状態となり、遊技球が入賞可能な状態となる。
【００１７】
第二始動入賞口２２０に入賞した遊技球は、第一始動入賞口２１０に入賞した遊技球と同様に、所定領域に誘導される。そして、第二始動入賞口２２０に入賞した遊技球は、所定領域に配設されている始動入賞口スイッチ３１０によって検出され、特別図柄抽選の契機を与える。すなわち、本実施形態では、始動入賞口スイッチ３１０は、第一始動入賞口２１０への遊技球の入賞及び第二始動入賞口２２０への遊技球の入賞を検出して、特別図柄抽選の契機を与える。なお、第一始動入賞口２１０への遊技球の入賞を検出するスイッチ及び第二始動入賞口２２０への遊技球の入賞を検出するスイッチを、それぞれ別個に設けて、それぞれのスイッチによる遊技球の検出に応じて抽選を実行する構成としても構わない。
【００１８】
右側転動路３３における第二始動入賞口２２０の下方には、大入賞口２４０が配設されている。大入賞口２４０は、開閉部材２４１を有する可変入賞口となっている。開閉部材２４１は、大入賞口ソレノイド３２１（図５参照）によって開閉される。
大入賞口２４０は、通常時は、開閉部材２４１が閉止状態となり、遊技球が入賞することができない状態となっている。そして、大入賞口２４０は、特別図柄抽選に当選して特賞状態が生起された場合に、開閉部材２４１が所定パターンで開放状態となり、遊技球が入賞可能な状態となる。
【００１９】
パチンコ機１の内部には、大入賞口スイッチ３１３（図５参照）が配設されている。大入賞口スイッチ３１３は、大入賞口２４０への遊技球の入賞を検出して、検出信号を主制御装置４００に対して出力する。そして、主制御装置４００は、大入賞口スイッチ３１３からの検出信号が入力されることに応じて、賞球を払い出すための処理を実行する。これにより、大入賞口２４０に入賞した遊技球の数に応じた数の賞球が払い出される。
【００２０】
第一始動入賞口２１０の左方には、左中一般入賞口２５０ａ及び左下一般入賞口２５０ｂが配設されている。また、第一始動入賞口２１０の右方には、右中一般入賞口２６０ａ及び右下一般入賞口２６０ｂが配設されている。左中一般入賞口２５０ａ、左下一般入賞口２５０ｂ、右中一般入賞口２６０ａ及び右下一般入賞口２６０ｂは、それぞれ、上向きに開口した入賞口であり、常時、遊技球が入賞可能な状態となっている。
【００２１】
パチンコ機１の内部には、左一般入賞口スイッチ３１４（図５参照）及び右一般入賞口スイッチ３１５（図５参照）が配設されている。左一般入賞口スイッチ３１４は、左中一般入賞口２５０ａ及び左下一般入賞口２５０ｂへの遊技球の入賞を検出して、検出信号を主制御装置４００に対して出力する。右一般入賞口スイッチ３１５は、右中一般入賞口２６０ａ及び右下一般入賞口２６０ｂへの遊技球の入賞を検出して、検出信号を主制御装置４００に対して出力する。そして、主制御装置４００は、左一般入賞口スイッチ３１４及び右一般入賞口スイッチ３１５のそれぞれからの検出信号が入力されることに応じて、賞球を払い出すための処理を実行する。
【００２２】
第一始動入賞口２１０の下方であって遊技領域３０の最下方には、いずれの入賞口にも入賞しなかった遊技球を回収するためのアウト口２７０が設けられている。
役物装置１００の左方には、パチンコ機１の遊技状態を表示する遊技状態表示装置２８０が配設されている。遊技状態表示装置２８０は、ＬＥＤランプ、７セグメントＬＥＤ、ドットマトリクスＬＥＤ等によって構成される。遊技状態表示装置２８０は、特別図柄表示部２８１と、普通図柄表示部２８２と、を有している。
【００２３】
特別図柄表示部２８１は、数字や図柄等からなる特別図柄の変動表示及び停止表示を行うことが可能となっている。特別図柄表示部２８１では、特別図柄抽選が実行された場合に、特別図柄の変動表示が行われ、その後、当該特別図柄抽選の結果に応じた態様による特別図柄の停止表示が行われる。
普通図柄表示部２８２は、数字や図柄等からなる普通図柄の変動表示及び停止表示を行うことが可能となっている。普通図柄表示部２８２では、普通図柄抽選が実行された場合に、普通図柄の変動表示が行われ、その後、当該普通図柄抽選の結果に応じた態様による普通図柄の停止表示が行われる。
【００２４】
また、遊技状態表示装置２８０には、特賞状態が生起されていること、当該特賞状態のラウンド数、普通図柄抽選の保留数、時短状態が生起されていること、当該時短状態の時短回数等が表示される。
ここで、時短状態とは、普通図柄抽選の当選確率が、通常時と比較して高確率（例えば、１０倍）になるとともに、第二始動入賞口２２０の開閉部材２２１が開放状態となる時間が、通常時と比較して延長される状態をいう。時短状態は、所定の特賞状態の終了後に生起される。時短状態は、特別図柄抽選が設定された回数（時短回数）行われるか、新たに特賞状態が生起されるまで継続する。
【００２５】
パチンコ機１には、遊技者による操作に応じて、遊技球を発射することが可能な発射装置（図示せず）が配設されている。そして、発射装置によって発射された遊技球は、発射路２０を介して、遊技領域３０に打ち出される。
遊技領域３０に打ち出された遊技球は、中央転動路３１、左側転動路３２及び右側転動路３３のうちいずれかの転動路を、下方に向かって転動する。
【００２６】
ここで、第一始動入賞口２１０は、遊技領域３０に打ち出された遊技球のうち、役物装置１００の内側に構成された中央転動経路３１を通過した遊技球のみが入賞可能となるように配設されている。また、第二入賞口２２０、始動ゲート２３０及び大入賞口２４０は、それぞれ、遊技領域３０に打ち出された遊技球のうち、右側転動経路３３を通過した遊技球のみが入賞又は通過可能となるように配設されている。
なお、遊技領域３０には、第一始動入賞口２１０、第二始動入賞口２２０、始動ゲート２３０、大入賞口２４０等に向かって遊技球を導くように、複数の釘ｎが配設されている。
【００２７】
（役物装置の構成）
次に、役物装置１００の構成を説明する。
図２は、役物装置が備える遊技球搬送装置及び振分装置の斜視図である。図３は、役物装置が備える遊技球搬送装置の正面図である。図４は、図３に示す遊技球搬送装置の背面図である。
図１に示すように、役物装置１００は、外周壁１０１と、外周壁１０１の内側に構成された中央転動経路３１と、遊技球を中央転動経路３１へ流入させる流入口１０２と、中央転動経路３１を通過した遊技球を排出する排出口１０３と、を有している。
【００２８】
流入口１０２は、左上方に向かって開口しており、常時、遊技球が流入可能な状態となっている。排出口１０３は、下方に向かって開口しており、常時、遊技球を排出可能な状態となっている。
役物装置１００では、流入口１０２以外の部分からは、中央転動経路３１へ遊技球が流入することはないように構成されている。また、役物装置１００では、排出口１０３以外の部分からは、遊技球が排出されることはないように構成されている。また、役物装置１００の正面側は、透明な板材（図示せず）によって覆われている。
【００２９】
役物装置１００は、遊技球搬送装置１１０と、遊技球搬送装置１１０の下流側に配設された振分装置１５０と、を有している。遊技球搬送装置１１０及び振分装置１５０は、中央転動経路３１において配設されている。そして、役物装置１００では、遊技球搬送装置１１０による遊技球の搬送経路が、中央転動経路３１の一部を構成している。
図１及び図２に示すように、遊技球搬送装置１１０は、第一可動部１２０と、第一可動部１２０の下流側に配設された遊技球転動部１３０と、遊技球転動部１３０の下流側に配設された第二可動部１４０と、を有している。また、遊技球搬送装置１１０は、第一可動部１２０及び第二可動部１４０を駆動する駆動部１６０を有している。
【００３０】
図２及び図３に示すように、第一可動部１２０は、流入口１０２から流入した遊技球が落下する落下通路１２１と、落下通路１２１の下流側に配設された周壁１２２と、周壁１２２の内側に配設された回転部材１２３と、を有している。
落下通路１２１は、上下方向（図１に示す上下方向）に沿って延びるように構成されている。流入口１０２から流入した遊技球は、全て、落下通路１２１に誘導される。
【００３１】
周壁１２２は、円筒状に形成されている。周壁１２２は、軸が前後方向（図１における奥行き方向）に沿って延びるように配設されている。周壁１２２には、落下通路１２１を落下してきた遊技球を周壁１２２の内側に受け入れるための受入口１２２ａと、受け入れた遊技球を周壁１２２の外側に排出するための排出口１２２ｂと、が設けられている。
回転部材１２３は、円柱状に形成されている。回転部材１２３は、回転軸１２３ａが前後方向に沿って延びるように配設されている。回転部材１２３は、回転軸１２３ａによって所定の方向に回転することが可能となっている。
【００３２】
回転部材１２３の外周面には、遊技球を保持するための保持凹部１２３ｂが設けられている。各保持凹部１２３ｂは、遊技球を収容することが可能となるようにＵ字形のポケット形状に形成されている。本実施形態では、回転部材１２３の外周面には、所定の角度間隔β（図８参照）で複数の保持凹部１２３ｂが設けられている。具体的には、回転部材１２３の外周面には、３つの保持凹部１２３ｂが設けられている。３つの保持凹部１２３ｂは、回転部材１２３の外周面において、均等な角度間隔β（１２０°）で設けられている。ここで、角度間隔βとは、互いに隣り合う保持凹部１２３ｂの中心線ｘ（図８参照）がなす角度をいう（以下、同様）。また、中心線ｘとは、保持凹部１２３ｂの中心位置と回転部材１２３の回転軸１２３ａとを結ぶ線をいう（以下、回転部材１４３についても同様）。また、回転部材１２３の外周面における保持凹部１２３ｂが設けられていない部分は、遊技球が周壁１２２の内側に流入することを阻止する阻止部１２３ｃとなっている。
第一可動部１２０は、周壁１２２の内側において回転する回転部材１２３によって、遊技球を搬送することが可能となっている。
【００３３】
具体的には、第一可動部１２０は、落下通路１２１を落下してきた遊技球を、回転部材１２３の保持凹部１２３ｂに収容する。ここで、第一可動部１２０では、回転部材１２３の阻止部１２３ｃが周壁１２２の受入口１２２ａの位置に配置されている際には、遊技球が周壁１２２の内側に進入できない状態となる。一方、第一可動部１２０では、回転部材１２３の保持凹部１２３ｂが周壁１２２の受入口１２２ａの位置（遊技球受入位置）に配置されている際には、遊技球が周壁１２２の内側（保持凹部１２３ｂ）に進入でき、保持凹部１２３ｂに遊技球を受け入れることが可能な状態となる。
【００３４】
そして、第一可動部１２０は、回転部材１２３を回転させることによって、周壁１２２の内周面と保持凹部１２３ｂとの間に遊技球を保持した状態で、遊技球を下方に向かって搬送する。
さらに、第一可動部１２０では、遊技球を保持している保持凹部１２３ｂが周壁１２２の排出口１２２ｂの位置に配置されることによって、遊技球の保持が解除される。これによって、第一可動部１２０は、周壁１２２の内周面と保持凹部１２３ｂとの間に保持していた遊技球を、周壁１２２の排出口１２２ｂから下方に向かって排出する。
【００３５】
遊技球転動部１３０は、滞留時間が不規則となるように遊技球を滞留させることが可能となるように構成されている。図２及び図３に示すように、遊技球転動部１３０は、排出口１２２ｂから排出された遊技球を受容する転動ステージ１３１と、転動ステージ１３１から排出された遊技球を誘導する誘導通路１３２と、を有している。
転動ステージ１３１は、遊技球を転動させることが可能な転動面１３３を有している。転動面１３３は、遊技球を不規則に転動させる（遊技球の滞留時間が不規則となるように転動させる）ことが可能となるように構成される。転動面１３３は、平面であっても構わないが、位置によって傾斜する向き及び角度のうち少なくとも一方が変化する面であることが好ましい。例えば、転動面１３３は、互いに傾斜する向き及び角度のうち少なくとも一方が異なる複数の平面を組み合わせて構成することができる。また、転動面１３３は、曲面によって構成することができる。さらに、転動面１３３は、平面と曲面を組み合わせて構成することができる。
【００３６】
本実施形態では、転動面１３３は、第一転動面１３３ａと、第二転動面１３３ｂと、第一転動面１３３ａ及び第二転動面１３３ｂの間に設けられた誘導溝１３３ｃと、を有している。
第一転動面１３３ａ及び第二転動面１３３ｂは、それぞれ、誘導溝１３３ｃ側に向かって低くなるように滑らかに傾斜する曲面である。誘導溝１３３ｃは、転動面１３３の左右方向（図１に示す左右方向）の中心部に設けられている。誘導溝１３３ｃは、前後方向に沿って延びるように設けられている。誘導溝１３３ｃは、後側に向かって低くなるように傾斜している。これによって、転動面１３３は、正面から見て、誘導溝１３３ｃを中心として略Ｖ字形に形成されている。
【００３７】
誘導通路１３２は、樋状に形成されている。誘導通路１３２は、前後方向に沿って延びるように配設されている。誘導通路１３２は、後側に向かって低くなるように傾斜している。
遊技球転動部１３０は、転動ステージ１３１によって、遊技球を不規則に転動させることが可能となっている。具体的には、遊技球転動部１３０は、排出口１２２ｂから落下する遊技球を、転動面１３３で受容する。そして、転動面１３３は、第一転動面１３３ａ及び第二転動面１３３ｂによって、受容した遊技球を、不規則に転動させた後、誘導溝１３３ｃの後端から誘導通路１３２に排出する。さらに、誘導通路１３２は、遊技球を、後側に向かって誘導した後、後端から排出する。
【００３８】
図２及び図３に示すように、第二可動部１４０は、誘導通路１３２の下流側に配設された周壁１４２と、周壁１４２の内側に配設された回転部材１４３と、を有している。
周壁１４２は、円筒状に形成されている。周壁１４２は、軸が前後方向に沿って延びるように配設されている。周壁１４２には、誘導通路１３２の後端から排出された遊技球を周壁１４２の内側に受け入れるための受入口１４２ａと、受け入れた遊技球を周壁１４２の外側に排出するための排出口１４２ｂと、が設けられている。
【００３９】
回転部材１４３は、円柱状に形成されている。回転部材１４３は、回転軸１４３ａが前後方向に沿って延びるように配設されている。回転部材１４３は、回転軸１４３ａによって所定の方向に回転することが可能となっている。
回転部材１４３の外周面には、遊技球を保持するための保持凹部１４３ｂが設けられている。各保持凹部１４３ｂは、遊技球を収容することが可能となるようにＵ字形のポケット形状に形成されている。本実施形態では、回転部材１４３の外周面には、所定の角度間隔βで複数の保持凹部１４３ｂが設けられている。具体的には、回転部材１４３の外周面には、３つの保持凹部１４３ｂが設けられている。３つの保持凹部１４３ｂは、回転部材１４３の外周面において、均等な角度間隔β（１２０°）で設けられている。また、回転部材１４３の外周面における保持凹部１４３ｂが設けられていない部分は、遊技球が周壁１４２の内側に流入することを阻止する阻止部１４３ｃとなっている。
【００４０】
本実施形態では、回転部材１４３は、回転部材１２３と同一の構成（形状及び寸法が同一）となっている。また、回転部材１４３の回転軸１４３ａは、回転部材１２３の回転軸１２３ａと並行に配設されている。回転部材１４３の回転する方向は、回転部材１２３の回転する方向に対して逆方向となっている。回転部材１４３及び回転部材１２３は、位置が前後方向にずれるように配置されている。具体的には、回転部材１４３の位置は、回転部材１２３の位置に対して後側となっている。なお、回転部材１４３の回転軸１４３ａの左右方向の位置及び回転部材１２３の回転軸１２３ａの左右方向の位置は、互いに一致している。
第二可動部１４０は、周壁１４２の内側において回転する回転部材１４３によって、遊技球を搬送することが可能となっている。
【００４１】
具体的には、第二可動部１４０は、誘導通路１３２の後端から排出された遊技球を、回転部材１４３の保持凹部１４３ｂに収容する。ここで、第二可動部１４０では、回転部材１４３の阻止部１４３ｃが周壁１４２の受入口１４２ａの位置に配置されている際には、遊技球が周壁１４２の内側に進入できない状態となる。一方、第二可動部１４０では、回転部材１４３の保持凹部１４３ｂが周壁１４２の受入口１４２ａの位置（遊技球受入位置）に配置されている際には、遊技球が周壁１４２の内側（保持凹部１４３ｂ）に進入でき、保持凹部１４３ｂに遊技球を受け入れることが可能な状態となる。
【００４２】
そして、第二可動部１４０は、回転部材１４３を回転させることによって、周壁１４２の内周面と保持凹部１４３ｂとの間に遊技球を保持した状態で、遊技球を下方に向かって搬送する。
さらに、第二可動部１４０では、遊技球を保持している保持凹部１４３ｂが周壁１４２の排出口１４２ｂの位置に配置されることによって、遊技球の保持が解除される。これによって、第二可動部１４０は、周壁１４２の内周面と保持凹部１４３ｂとの間に保持していた遊技球を、周壁１４２の排出口１４２ｂから下方に向かって排出する。
【００４３】
図４に示すように、駆動部１６０は、第二役物モータ３２４と、第二役物モータ３２４の動力を第一可動部１２０及び第二可動部１４０に伝達する５つのギア１６１，１６２，１６３，１６４，１６５と、を有している。
第二役物モータ３２４は、主制御装置４００からの制御信号に応じて駆動する。本実施形態では、第二役物モータ３２４として、ステッピングモータを用いている。
【００４４】
モータギア１６１は、第二役物モータ３２４の回転軸に固定されている。ドライブギア１６２は、第一可動部１２０の回転部材１２３の回転軸１２３ａに固定されている。ドライブギア１６３は、第二可動部１４０の回転部材１４３の回転軸１４３ａに固定されている。モータギア１６１とドライブギア１６２との間には、アイドルギア１６４及びアイドルギア１６５が配設されている。一方、モータギア１６１とドライブギア１６３との間には、アイドルギア１６４が配設されている。
【００４５】
駆動部１６０は、第二役物モータ３２４の動力を、モータギア１６１、アイドルギア１６４、アイドルギア１６５及びドライブギア１６２を介して、第一可動部１２０の回転部材１２３の回転軸１２３ａに伝達する。また、駆動部１６０は、第二役物モータ３２４の動力を、モータギア１６１、アイドルギア１６４及びドライブギア１６３を介して、第二可動部１４０の回転部材１４３の回転軸１４３ａに伝達する。これによって、第一可動部１２０の回転部材１２３が回転する方向と、第二可動部１４０の回転部材１４３が回転する方向とは、逆方向となる。
【００４６】
図２に示すように、振分装置１５０は、第二可動部１４０の排出口１４２ｂから排出された遊技球を受容する受容部１５１と、受容部１５１と一体に形成された誘導部１５２と、を有している。
受容部１５１は、円筒状に形成されている。受容部１５１は、回転軸１５４が上下方向に沿って延びるように配設されている。
【００４７】
受容部１５１は、遊技球を転動させることが可能な底面１５３を有している。底面１５３は、遊技球を不規則に転動させる（遊技球の滞留時間が不規則となるように転動させる）ことが可能となるように構成される。底面１５３は、平面であっても構わないが、位置によって傾斜する向き及び角度のうち少なくとも一方が変化する面であることが好ましい。例えば、底面１５３は、互いに傾斜する向き及び角度のうち少なくとも一方が異なる複数の平面を組み合わせて構成することができる。また、底面１５３は、曲面によって構成することができる。さらに、底面１５３は、平面と曲面を組み合わせて構成することができる。
【００４８】
誘導部１５２は、樋状に形成されている。誘導部１５２は、受容部１５１から前側に向かって突出するように設けられている。
受容部１５１の底面１５３及び誘導部１５２の底面には、連続する誘導溝１５５が設けられている。受容部１５１の底面１５３は、誘導溝１５５に向かって低くなるように傾斜している。誘導溝１５５は、前側（誘導部１５２の先端側）に向かって低くなるように傾斜している。
【００４９】
振分装置１５０は、回転軸１５４によって回転することが可能に構成されている。回転軸１５４は、第一役物モータ３２３（図５参照）によって回転される。第一役物モータ３２３は、主制御装置４００からの制御信号に応じて駆動する。本実施形態では、第一役物モータ３２３として、ステッピングモータを用いている。振分装置１５０は、第一役物モータ３２３によって、誘導部１５２の先端を左右方向に揺動させるように回転される。
【００５０】
振分装置１５０は、受容部１５１によって、遊技球を不規則に転動させることが可能となっている。また、振分装置１５０は、誘導部１５２の先端を左右方向に揺動することによって、遊技球を排出する位置及び向きを変化させることが可能となっている。具体的には、振分装置１５０は、排出口１４２ｂから落下する遊技球を、受容部１５１の底面１５３によって受容する。そして、受容部１５１は、受容した遊技球を、底面１５３によって不規則に転動させた後、誘導溝１５５に沿って誘導部１５２に誘導する。さらに、誘導部１５２は、遊技球を、前側に向かって誘導した後、先端から役物装置１００の排出口１０３に向けて排出する。
【００５１】
ここで、役物装置１００の排出口１０３の左右方向の寸法は、第一始動入賞口２１０の左右方向の寸法よりも大きく形成されている。そして、第一始動入賞口２１０は、役物装置１００の排出口１０３の下方における、排出口１０３の左右方向の中央部に対応する位置に配設されている。したがって、振分装置１５０では、誘導部１５２の先端が左右方向の中央（第一始動入賞口２１０の真上）に位置している際に排出される遊技球は、第一始動入賞口２１０への入賞の可能性が高くなる。一方、振分装置１５０では、誘導部１５２の先端が左右方向の中央からずれている際に排出される遊技球は、第一始動入賞口２１０への入賞の可能性が低くなる。
【００５２】
（制御系の構成）
次に、パチンコ機１における制御系の構成を説明する。
図５は、パチンコ機の制御系の構成を示すブロック図である。
図５に示すように、パチンコ機１は、始動入賞口スイッチ３１０と、始動ゲートスイッチ３１１と、大入賞口スイッチ３１３と、左一般入賞口スイッチ３１４と、右一般入賞口スイッチ３１５と、を備えている。
【００５３】
始動入賞口スイッチ３１０は、第一始動入賞口２１０及び第二始動入賞口２２０のそれぞれへの遊技球の入賞を検出し、検出信号を主制御装置４００に対して出力する。始動ゲートスイッチ３１１は、始動ゲート２３０への遊技球の通過を検出し、検出信号を主制御装置４００に対して出力する。大入賞口スイッチ３１３は、大入賞口２４０への遊技球の入賞を検出し、検出信号を主制御装置４００に対して出力する。左一般入賞口スイッチ３１４は、左一般入賞口２５０への遊技球の入賞を検出し、検出信号を主制御装置４００に対して出力する。右一般入賞口スイッチ３１５は、右一般入賞口２６０への遊技球の入賞を検出し、検出信号を主制御装置４００に対して出力する。
【００５４】
また、パチンコ機１は、制御部として、主制御装置４００と、副制御装置５００と、を備えている。不正行為防止等のため、主制御装置４００及び副制御装置５００は、それぞれ別々の基板に実装される。また、制御部では、主制御装置４００から副制御装置５００への一方向にのみデータの送信が可能となっている。
主制御装置４００は、主として、始動入賞口スイッチ３１０からの検出信号の入力に応じて、各種の乱数カウンタから乱数を取得する（各種の抽選を実行する）。そして、主制御装置４００は、取得した各種乱数に基づいて、制御コマンドの送信及び遊技全体の制御を行う。
【００５５】
また、主制御装置４００は、遊技状態表示装置２８０、賞球払出制御装置３５０、始動入賞口ソレノイド３２０、大入賞口ソレノイド３２１、第一役物モータ３２３、第二役物モータ３２４等を直接制御する。
特に、主制御装置４００は、パチンコ機１の稼働中において、常時、第一役物モータ３２３及び第二役物モータ３２４を駆動させる。この際、主制御装置４００は、振分装置１５０の誘導部１５２の先端が一定の周期で左右方向に揺動されるように、第一役物モータ３２４を駆動させる。
【００５６】
また、主制御装置４００は、第一可動部１２０の回転部材１２３及び第二可動部１４０の回転部材１４３のそれぞれが所定パターンで回転するように、後述する回転制御を実行する。
主制御装置４００は、ＣＰＵ４１０と、ＲＯＭ４２０と、ＲＡＭ４３０と、入力ポート４４０と、出力ポート４５０とを備える。
入力ポート４４０は、始動入賞口スイッチ３１０、始動ゲートスイッチ３１１、大入賞口スイッチ３１３、左一般入賞口スイッチ３１４及び右一般入賞口スイッチ３１５のそれぞれから入力された検出信号をＣＰＵ４１０に出力する。
【００５７】
出力ポート４５０は、副制御装置５００、遊技状態表示装置２８０及び賞球払出制御装置３５０のそれぞれに対して制御コマンドを出力するとともに、始動入賞口ソレノイド３２０、大入賞口ソレノイド３２１、第一役物モータ３２３及び第二役物モータ３２４のそれぞれに対して制御信号を出力する。また、出力ポート４５０は、パチンコ機１の出玉情報や異常信号等をホールコンピュータ８００に対して出力する。
【００５８】
ＲＯＭ４２０には、主制御装置４００で実行されるパチンコ機１を制御するためのプログラム、遊技制御用のデータ等が記憶されている。特に、ＲＯＭ４２０には、第一役物モータ３２３及び第二役物モータ３２４のそれぞれを制御するための制御プログラムが記憶されている。
ＲＡＭ４３０は、主制御装置４００に対する入出力データ、演算処理のためのデータ、遊技に関連する乱数カウンタを始めとする各種カウンタ、抽選結果や遊技状態を管理するフラグ等を一時的に記憶する。
【００５９】
また、主制御装置４００には、電源供給を行うための電源回路９００が接続されている。
副制御装置５００は、主制御装置４００と同様に、ＣＰＵ、ＲＯＭ、ＲＡＭ、入力ポート及び出力ポートを備える。
副制御装置５００のＲＯＭには、演出を制御するためのプログラム、各種データ等が記憶されている。副制御装置５００のＲＡＭには、主制御装置４００から入力された制御コマンド、演算処理を行うためのデータ等が一時的に記憶される。副制御装置５００のＣＰＵは、主制御装置４００から受信した制御コマンドに応じて、ＲＯＭに記憶されたプログラムにしたがった処理を実行する。これにより、副制御装置５００のＣＰＵは、ランプ５３０の点灯、点滅の制御、スピーカ５４０からの効果音の出力の制御等を行う。
【００６０】
（主制御装置４００による回転制御）
次に、主制御装置４００による回転制御を説明する。
主制御装置４００は、回転制御を実行することによって、第一可動部１２０の回転部材１２３及び第二可動部１４０の回転部材１４３のそれぞれを所定パターンで回転させる。
本実施形態では、主制御装置４００は、回転制御によって、回転部材１２３及び回転部材１４３を、互いに同一のパターンで回転させる。ただし、回転部材１２３の回転方向と回転部材１４３の回転方向とは、互いに逆方向となる。
【００６１】
そこで、以下、主制御装置４００による回転部材１４３の回転制御を説明し、主制御装置４００による回転部材１２３の回転制御の説明を省略する。
図６は、回転制御を示すタイミングチャートである。
主制御装置４００による回転制御では、回転部材１４３を第１角度だけ正回転される第１制御と、回転部材１４３を第２角度だけ逆回転させる第２制御と、を繰り返し実行する。ここで、正回転とは、回転部材１４３を一の方向（本実施形態では、時計回り）に回転させることをいう。また、逆回転とは、回転部材１４３を一の方向とは逆の他の方向（本実施形態では、反時計回り）に回転させることをいう。
【００６２】
そして、第１角度及び第２角度は、第１角度から第２角度を減じた値の絶対値が３６０の約数とならないように設定されている。
また、第１角度及び第２角度は、第１角度から第２角度を減じた値の絶対値が互いに隣り合う保持凹部１４３ｂの角度間隔βの値の約数とならないように設定されている。
さらに、第１角度及び第２角度は、第１角度から第２角度を減じた値の絶対値が互いに隣り合う保持凹部１４３ｂの角度間隔βの値より小さくなるように設定されている。
本実施形態では、回転制御において、第１制御と第２制御との間（第２制御と第１制御との間）に、回転部材１４３を所定時間だけ停止させる第３制御を実行する。
【００６３】
具体的には、主制御装置４００は、回転制御として、一定のパターンで回転部材１４３を回転させるパターン制御を繰り返し実行する。
図６に示すように、パターン制御では、第１制御Ｓ１を行い、その後、第３制御Ｓ３を行い、その後、第２制御Ｓ２を行い、その後、第３制御Ｓ３を行う。
第１制御Ｓ１では、回転部材１４３を、Ｔ１（５６９．６［ｍｓ］）の間だけ正回転させることによって、第１角度（５４．２°）だけ正回転させる。第２制御Ｓ２では、回転部材１４３を、Ｔ２（６２．７［ｍｓ］）の間だけ逆回転させることによって、第２角度（５．９°）だけ逆回転させる。第３制御Ｓ３では、回転部材１４３を、Ｔ３（１２．０［ｍｓ］）の間だけ停止させる。
【００６４】
これによって、一周期のパターン制御が行われることによって、回転部材１４３が、第１角度（５４．２°）から第２角度（５．９°）を減算した角度（４８．３°）だけ正回転される。
したがって、第１角度（５４．２°）から第２角度（５．９°）を減じた値の絶対値（４８．３）が、３６０の約数とならないように設定されている。
【００６５】
また、第１角度（５４．２°）から第２角度（５．９°）を減じた値の絶対値（４８．３）が、互いに隣り合う保持凹部１４３ｂの角度間隔β（１２０°）の値（１２０）の約数とならないように設定されている。
さらに、第１角度（５４．２°）から第２角度（５．９°）を減じた値の絶対値（４８．３）が、互いに隣り合う保持凹部１４３ｂの角度間隔β（１２０°）の値（１２０）より小さくなるように設定されている。
なお、本実施形態では、回転部材１４３を正回転させる速度及び回転部材１４３を逆回転させる速度は、互いに同一に設定されている。
【００６６】
（第二可動部１４０の動作）
次に、第二可動部１４０の動作を説明する。
図７は、第二可動部の正面図である。図８は、遊技球受入位置に対する保持凹部の角度位置の変化を示す図である。
役物装置１００の流入口１０２に流入した遊技球Ｐ（図３参照）は、第一可動役物１２０の落下通路１２１に誘導される。
【００６７】
そして、第一可動部１２０は、落下通路１２１を落下してきた遊技球Ｐを、周壁１２２の内側において回転する回転部材１２３によって搬送した後に、周壁１２２の排出口１２２ｂから下方に向かって排出する。
さらに、遊技球転動部１３０は、排出口１２２ｂから排出された遊技球Ｐを、転動面１３３において不規則に転動させた後に、誘導通路１３２の後端から排出する。
そして、第二可動部１４０は、誘導通路１３２の後端から排出された遊技球Ｐを、周壁１４２の内側において回転する回転部材１４３によって搬送することが可能となっている。
図３に示すように、第二可動部１４０では、回転部材１４３の保持凹部１４３ｂが周壁１４２の受入口１４２ａの位置（遊技球受入位置）に配置されている際には、保持凹部１４３ｂに遊技球を受け入れることが可能な状態となる。
【００６８】
一方、図７に示すように、第二可動部１４０では、回転部材１４３の阻止部１４３ｃが周壁１４２の受入口１４２ａの位置に配置されている際には、保持凹部１４３ｂに遊技球を受け入れることができない状態となる。
そして、第二可動部１４０では、回転部材１４３が回転されることによって、保持凹部１４３ｂに受け入れた遊技球を、下方に向かって搬送した後、周壁１４２の排出口１４２ｂから下方に向かって排出する。
【００６９】
この際、主制御装置４００は、回転制御として、回転部材１４３を第１角度だけ正回転される第１制御と、回転部材１４３を第２角度だけ逆回転させる第２制御と、を繰り返し実行する。
これによって、回転部材１４３は、第１角度だけ正回転する動作（第１制御による回転）と、第２角度だけ逆回転される動作（第２制御による回転）と、を繰り返す。
したがって、周壁１４２の受入口１４２ａにおいて、周壁１４２と保持凹部１４３ｂとの間に遊技球が挟まる球詰まりを防止することが可能となる。
【００７０】
また、主制御装置４００は、回転制御において、第１制御と第２制御との間（第２制御と第１制御との間）に、回転部材１４３を所定時間だけ停止させる第３制御を実行する。
これによって、遊技球搬送装置１１０によれば、回転部材１４３の回転方向を変える際に、第二役物モータ３２４の負荷を軽減することが可能となる。
特に、主制御装置４００による回転制御では、第１角度から第２角度を減じた値の絶対値が、３６０の約数とならないように設定されている。
これによって、主制御装置４００による回転制御では、第２制御の完了時における遊技球受入位置に対する保持凹部１４３ｂの角度位置αが、第２制御が完了するごとに変化する。これに伴い、第１制御の完了時における遊技球受入位置に対する保持凹部１４３ｂの位置が、第１制御が完了するごとに変化する。
【００７１】
ここで、図７に示すように、遊技球受入位置に対する保持凹部１４３ｂの角度位置αとは、周壁１４２の受入口１４２ａの中心位置及び回転部材１４３の回転軸１４３ａを結ぶ中心線ｙと、保持凹部１４３ｂの中心位置及び回転軸１４３ａを結ぶ中心線ｘとのなす角度（中心線ｙに対する中心線ｘの正回転側の角度）をいう。
具体的には、主制御装置４００は、回転制御として、パターン制御を繰り返し実行する。そして、パターン制御では、回転部材１４３が第１角度（５４．２°）だけ正回転され（第１制御Ｓ１）、その後、回転部材１４３がＴ３（１２．０［ｍｓ］）の間だけ停止され（第３制御Ｓ３）、その後、回転部材１４３が第２角度（５．９°）だけ逆回転され（第２制御Ｓ２）、その後、回転部材１４３がＴ３（１２．０［ｍｓ］）の間だけ停止される（第３制御Ｓ３）。
【００７２】
これによって、図８に示すように、回転部材１４３の３つの保持凹部１４３ｂのうち一の保持凹部１４３ｂに注目すると、遊技球受入位置に対する一の保持凹部１４３ｂの角度位置αが、一周期のパターン制御が完了するごとに、４８．３°ずつ正回転側に変化する。
したがって、一の保持凹部１４３ｂが一周するごとに、一の保持凹部１４３ｂが遊技球受入位置を通過した後に最初に停止された際の遊技球受入位置に対する一の保持凹部１４３ｂの角度位置αが変化する（図８に示す例においては、１周目ではα＝０°、２周目ではα＝３２．３°、３周目ではα＝１０．４°・・・と変化している）。
よって、遊技球搬送装置１１０では、保持凹部１４３ｂによる遊技球の受け入れ状態を変化させることができ、遊技の興趣を向上することが可能となる。
【００７３】
ここで、図８では、回転制御の開始時（０［ｍｓ］）における遊技球受入位置に対する一の保持凹部１４３ｂの角度位置αを、０°としている。
また、主制御装置４００による回転制御では、第１角度（５４．２°）から第２角度（５．９°）を減じた値の絶対値（４８．３）が、互いに隣り合う保持凹部１４３ｂの角度間隔βの値（１２０）の約数とならないように設定されている。
【００７４】
これによって、遊技球搬送装置１１０では、互いに隣り合う保持凹部１４３ｂについて、一の保持凹部１４３ｂが遊技球受入位置を通過した後に最初に停止された際の遊技球受入位置に対する一の保持凹部１４３ｂの角度位置αと、これに続いて、他の保持凹部１４３ｂが遊技球受入位置を通過した後に最初に停止された際の遊技球受入位置に対する他の保持凹部１４３ｂの角度位置αとが、互いに異なる。
したがって、遊技球搬送装置１１０によれば、複数の保持凹部１４３ｂによる遊技球の受け入れ状態を変化させることが可能となる。
【００７５】
さらに、主制御装置４００による回転制御では、第１角度（５４．２°）から第２角度（５．９°）を減じた値の絶対値（４８．３）は、互いに隣り合う保持凹部１４３ｂの角度間隔βの値（１２０）より小さくなっている。
これによって、遊技球搬送装置１１０では、回転部材１４３の動きをより細かくすることができ、遊技の興趣を向上することが可能となる。
【００７６】
（変形例）
以上、本発明の実施形態について説明したが、上記実施形態では、種々の変更を行うことが可能である。
例えば、上記実施形態では、回転部材１２３において、３つの保持凹部１２３ｂを設けている。また、回転部材１４３において、３つの保持凹部１４３ｂを設けている。しかしながら、回転部材１２３，１４３において設けられる保持凹部１２３ｂ，１４３ｂの数は、適宜、増減する（１つのみ設ける又は４つ以上設ける）ことが可能である。また、回転部材１２３と回転部材１４３とで、保持凹部１２３ｂ，１４３ｂの数を異ならせても構わない。
【００７７】
また、上記実施形態では、回転部材１２３，１４３の外周面において、複数（３つ）の保持凹部１２３ａ，１４３ｂが均等な間隔で設けられている。しかしながら、回転部材１２３，１４３の外周面において、隣り合う保持凹部１２３ａ，１４３ｂごとに、間隔が異なる構成としても構わない。この場合、主制御装置４００による回転制御では、第１角度から第２角度を減じた値の絶対値が、全ての互いに隣り合う保持凹部１４３ｂ（１２３ｂ）の角度間隔βの値について、各角度間隔βの値の約数とならないように設定される。また、回転部材１２３と回転部材１４３とで、保持凹部１２３ａ，１４３ｂの間隔が異なる構成としても構わない。
【００７８】
また、上記実施形態では、回転部材１２３が回転される速度及び回転部材１４３が回転される速度は、互いに同一となっている。しかしながら、回転部材１２３が回転される速度と回転部材１４３が回転される速度とを、異ならせても構わない。
また、上記実施形態では、回転部材１２３，１４３を正回転させる速度及び回転部材１２３，１４３を逆回転させる速度は、互いに同一に設定されている。しかしながら、回転部材１２３，１４３を正回転させる速度と回転部材１２３，１４３を逆回転させる速度とを、異ならせても構わない。例えば、回転部材１２３，１４３を正回転させる速度を逆回転させる速度より速くする、または、回転部材１２３，１４３を正回転させる速度を逆回転させる速度より遅くすることができる。
【００７９】
また、上記実施形態では、第一可動部１２０の回転部材１２３が回転する方向と、第二可動部１４０の回転部材１４３が回転する方向とは、逆方向となっている。しかしながら、第一可動部１２０の回転部材１２３が回転する方向及び第二可動部１４０の回転部材１４３が回転する方向を、互いに同一方向としても構わない。
また、上記実施形態では、回転制御において、第１制御と第２制御との間（第２制御と第１制御との間）に、回転部材１４３（１２３）を所定時間だけ停止させる第３制御を実行する。しかしながら、第１制御と第２制御との間（第２制御と第１制御との間）において、第３制御を実行しない構成としても構わない。
さらに、上記実施形態においては、パチンコ機１に本発明を適用した場合について説明したが、これに限らず、本発明の主旨を逸脱しない範囲で他のアミューズメントゲーム機等の遊技機にも適用可能である。
【符号の説明】
【００８０】
１  パチンコ機
１０  遊技盤面
３０  遊技領域
１００  役物装置
３１  中央転動経路
３２  左側転動経路
３３  右側転動経路
１０１  外周壁
１０２  流入口
１０３  排出口
１１０  遊技球搬送装置
１２０  第一可動部
１２１  落下通路
１２２  周壁
１２２ａ  受入口
１２２ｂ  排出口
１２３  回転部材
１２３ａ  回転軸
１２３ｂ  保持凹部
１３０  遊技球転動部
１３１  転動ステージ
１３２  誘導通路
１３３  転動面
１３３ａ  第一転動面
１３３ｂ  第二転動面
１３３ｃ  誘導溝
１４０  第二可動部
１４２  周壁
１４２ａ  受入口
１４２ｂ  排出口
１４３  回転部材
１４３ａ  回転軸
１４３ｂ  保持凹部
１５０  振分装置
１５１  受容部
１５２  誘導部
１５３  底面
１５４  回転軸
１５５  誘導溝
１６０  駆動部
１６１  モータギア
１６２  ドライブギア
１６３  ドライブギア
１６４  アイドルギア
１６５  アイドルギア
２１０  第一始動入賞口
２２０  第二始動入賞口
３１０  始動入賞口スイッチ
３２４  第二役物モータ
３２３  第一役物モータ
４００  主制御装置
５００  副制御装置
Ｐ  遊技球
【図１】
0005766945.tif 000002
【図２】
0005766945.tif 000003
【図３】
0005766945.tif 000004
【図４】
0005766945.tif 000005
【図５】
0005766945.tif 000006
【図６】
0005766945.tif 000007
【図７】
0005766945.tif 000008
【図８】
0005766945.tif 000009